(57)【要約】【課題】ポケット面の成形を容易にして射出成形用の金型の製作を容易にし、かつ保持器音の発生を防止する保持器を提供する。【解決手段】内周面に転動軌道を設けた外輪と、外周面に転動軌道を設けた内輪と、外輪と内輪のそれぞれの転動軌道の間に配設された複数の転動体と、転動体を転動自在に保持する複数のポケットを有し、樹脂材料で成形された保持器とを備える転がり軸受において、保持器のポケットのポケット面を一つの球状凹面により形成し、この保持器にその複数のポケットの少なくとも３箇所に内輪側へ突出すると共に内輪には接触しない突出部を形成する。【選択図】        図１
2004156739.tif 000002
【特許請求の範囲】
【請求項１】
外輪と内輪との間に配置され、該外輪と内輪との転動軌道の間に配設された複数の転動体を転動自在に保持する複数のポケットを有し、樹脂材料で成形された保持器において、
前記ポケットのポケット面を一つの球状凹面により形成し、前記複数のポケットの少なくとも３箇所に前記内輪側へ突出する突出部を設けたことを特徴とする保持器。
【請求項２】
請求項１において、
前記突出部が、前記内輪に接触しないように設けられていることを特徴とする保持器。
【請求項３】
請求項１または請求項２において、
前記突出部の内輪側の面をすべて連続させて、同一面となるように形成したことを特徴とする保持器。
【請求項４】
内周面に転動軌道を設けた外輪と、外周面に転動軌道を設けた内輪と、前記外輪と内輪のそれぞれの転動軌道の間に配設された複数の転動体と、該転動体を転動自在に保持する複数のポケットを有し、樹脂材料で成形された保持器とを備える転がり軸受において、
前記保持器のポケットのポケット面を一つの球状凹面により形成し、該保持器が、その複数のポケットの少なくとも３箇所に前記内輪側へ突出する突出部を有することを特徴とする転がり軸受。
【請求項５】
請求項４において、
前記保持器の突出部の内輪側の面をすべて連続させて、同一面となるように形成したことを特徴とする転がり軸受。
【発明の詳細な説明】
【０００１】
【発明の属する技術分野】
本発明は、ハードディスクドライブ装置、ビデオテープレコーダ、デジタルビデオディスク、ミニディスクのスピンドルモータ等の各種電気機器の回転支持部に用いる玉軸受やころ軸受等の保持器およびそれを用いた転がり軸受に関する。
【０００２】
【従来の技術】
従来の保持器は、合成樹脂等で冠型に成形され、玉の回転中心よりラジアル方向および円周方向に曲率中心を偏在させた２つの球状凹面からなるポケット面を有し、これら２つの球状凹面によって形成される潤滑剤溜りに潤滑剤を保持して潤滑不良を防止すると共に、玉と保持器の相対移動量を小さくして保持器に起因して発生する音（以下、保持器音という。）を防止している（例えば、特許文献１参照。）。
【０００３】
【特許文献１】
特開２０００−３４６０８０号公報（第３−４頁
【００１６】−
【００２５】、第２図）
【０００４】
【発明が解決しようとする課題】
しかしながら、上述した従来の技術においては、保持器には曲率中心を偏在させた２つの球状凹面によってポケット面を形成するため、射出成形用の金型の製作が困難であると共に、複数のポケット面の形状およびを球状凹面の位置精度を均一化することが困難であるという問題がある。
【０００５】
本発明は、上記の問題点を解決するためになされたもので、ポケット面の成形を容易にして射出成形用の金型の製作を容易にし、かつ保持器音の発生を防止する保持器を提供することを目的とする。
【０００６】
【課題を解決するための手段】
本発明は、上記課題を解決するために、外輪と内輪との間に配置され、該外輪と内輪との転動軌道の間に配設された複数の転動体を転動自在に保持する複数のポケットを有し、樹脂材料で成形された保持器において、前記ポケットのポケット面を一つの球状凹面により形成し、前記複数のポケットの少なくとも３箇所に前記内輪側へ突出する突出部を設けたことを特徴とする。
【０００７】
また、内周面に転動軌道を設けた外輪と、外周面に転動軌道を設けた内輪と、前記外輪と内輪のそれぞれの転動軌道の間に配設された複数の転動体と、該転動体を転動自在に保持する複数のポケットを有し、樹脂材料で成形された保持器とを備える転がり軸受において、前記保持器のポケットのポケット面を一つの球状凹面により形成し、該保持器が、その複数のポケットの少なくとも３箇所に前記内輪側へ突出する突出部を有することを特徴とする。
【０００８】
【発明の実施の形態】
以下に、図面を参照して本発明による転がり軸受の実施の形態について説明する。
図１は本発明の実施の形態を示す正面図、図２は図１のＢ−Ｂ断面を示す拡大断面図、図３は本発明の実施の形態の保持器を示す斜視図である。
【０００９】
なお、図１は本実施の形態の理解を容易とするために密封板を省略して描いたものである。
図１、図２において、１は転がり軸受としての玉軸受であり、グリースにより潤滑される。
２は外輪であり、その内周面に玉軸受１の転動軌道が設けられる。
【００１０】
３は内輪であり、その外周面に玉軸受１の転動軌道が設けられる。
４は保持器であり、外輪２と内輪３との間に配置され、ポリアミドやポリアセタール等の樹脂材料やこれらの含油樹脂またはこれらをガラス繊維やチタン酸カリウム等の短繊維で補強した樹脂材料等により射出成形等の成形手段を用いて図３に示す一体の冠型に成形される。
【００１１】
５は転動体としての玉であり、互いの接触を防止するための保持器４に保持されて所定のピッチで複数設けられ、外輪２に設けた転動軌道とこれに対向する内輪３に設けた転動軌道との間に転動自在に配設されている。
６は密封板であり、玉５の両側に配置されており、その外周端を外輪２の内周面に嵌合して係止すると共にその内周端を内輪３の外周面に近接して設置し、外部からの塵芥や泥水の浸入を防止すると共に通常と同様に潤滑剤としてのグリースを玉５の周囲の空間に封止する。
【００１２】
なお、図２に示す矢印Ａは玉軸受１の軸方向を、矢印Ｒは玉軸受１の半径方向を示す。
図３において、１１はポケットであり、冠型の保持器４の円周方向に所定のピッチで複数設けられ、一つの球面である球状凹面からなるポケット面１２が形成されており、これによって玉５を転動自在に保持する。
【００１３】
１３は爪部であり、保持器４の軸方向の一方の側で、ポケット１１の両側に対向して設けられ、略円弧状の形状に成形されており、玉５のポケット１１からの脱落を防止するためのストッパとして機能する。
１４は保持器柱であり、隣り合うポケット１１の間に設けられ、玉５同士の接触を防止する隔壁となる。
【００１４】
１５は突出部であり、その内周面が保持器４の複数のポケット１１の内輪３側へ突出すると共に、内輪３の外周面と接触しないように内輪３の外周面との間に保持器４の半径方向の移動量を考慮した隙間を形成するように構成されている。本実施の形態では保持器４の半径方向の位置を確定しやすいように３箇所に設けてある。
【００１５】
上述した構成の作用について説明する。
図４は本発明の実施の形態の作用を示す説明図である。
図４に示すように、軸方向から見た保持器４のポケット面１２は玉５と同一の曲率中心Ｏを有する曲率半径Ｒｐの球面であり、玉５の曲率半径Ｒｂより大きく設定して通常の玉軸受１と同様のポケット隙間Ｃｐが形成されている。
【００１６】
このポケット隙間Ｃｐは、特に玉５の曲率半径Ｒｂが小さい玉軸受１の場合は、製作上の精度限界やバラツキ等を考慮すると玉５の曲率半径Ｒｂが大きい玉軸受１に較べると相対的にポケット隙間Ｃｐを大きく設定せざるを得ず、潤滑は良好に行われるが、保持器４の半径方向の遊びが大きくなり、これに伴う振動によって保持器音が発生する恐れがある。
【００１７】
なお、ポケット隙間Ｃｐを小さく設定し過ぎると、保持器４の半径方向の遊びを小さくすることはできるが、潤滑剤のポケット隙間Ｃｐへの浸入が妨げられて潤滑不良となり、これに伴う自励振動によって保持器音が発生する。
このため、本実施の形態においては、ポケット１１の内輪３側に設けた突出部１５によって通常のポケット隙間Ｃｐを維持しつつ、保持器４の半径方向の移動を制限して遊びを少なくしている。
【００１８】
すなわち、突出部１５を内輪３側に突出させ、この突出部１５にも曲率半径Ｒｐの球状凹面であるポケット面１２を形成し、突出部１５の内輪３側の内径面の角部と玉５の曲率中心とがなす挟み角θを小さくして保持器４の半径方向の移動を図４にＣ１で示す移動量に制限する。
これによって、玉５とポケット面１２の間の潤滑を良好に保つと共に、保持器４の半径方向の移動を小さく抑えることができる。
【００１９】
なお、本実施の形態では、保持器４に設ける突出部１５は３箇所として説明したが、突出部１５の数は保持器４の位置を確定できる数であれば３箇所に限らずいくつあってもよく、４箇所以上または全てのポケット１１に設けるようにしてもよい。
また、突出部１５の内輪３側の面をすべて連続させて同一面となるようにして形成するようにしてもよい。
【００２０】
図５は実施の形態の保持器の他の態様を示す斜視図、図６は図５のＣ矢視図である。
なお、上記実施の形態例と同様の部分は同一の符号を付してその説明を省略する。
図５、図６において、２１は突出部であり、保持器４のポケット１１の内輪３側の面を内輪３側に突出させ、図６に矢印Ｃで示す半径方向から見たときに、爪部１３の先端からその反対側に向けて２点鎖線で示す玉５とポケット面１２の曲率中心Ｏを越えるように伸張させて形成する。
【００２１】
本態様においては、全てのポケット１１の内輪３側に突出部２１が形成されている。
このような構成においても、図４に示す移動量Ｃ１を上記実施の形態と同様に確保することができ、玉５とポケット面１２の間の潤滑を良好に保つと共に、保持器４の半径方向の移動を小さく抑えることができる。
【００２２】
なお、図５に示した突出部２１はポケット１１の一部を切欠いて段部を形成するようにして示しているが、ポケット１１をすべて含むようにして連続した突出部２１を形成するようにしてもよい。
以上説明したように、本実施の形態においては、保持器のポケットの内輪側に少なくとも３箇所の突出部を設けて通常のポケット隙間を維持しつつ保持器の半径方向の遊びを少なくするようにしたことによって、良好な潤滑状態を保つことができると共に保持器音の発生を防止することができる。
【００２３】
また、一つの球面でポケット面を形成するようにしたことによって、保持器のポケット面の成形が容易となって射出成形用の金型製作が容易となり、複数のポケット面の形状および位置精度を均一化することができ、安価で高精度な保持器を製作することができる。
なお、上記実施の形態例においては、転がり軸受は玉軸受であるとして説明したが、本発明を適用する転がり軸受は玉軸受に限らず、ころ軸受や針状ころ軸受等の転がり軸受であってもよく、これらの転がり軸受の保持器の半径方向の遊びの抑制に適用すれば、上記と同様の効果を得ることができる。
【００２４】
【発明の効果】
以上述べたように、本発明は、保持器のポケット面を一つの球面で形成し、ポケットの内輪側に少なくとも３箇所の突出部を設けて保持器の半径方向の遊びを少なくするようにしたことによって、良好な潤滑状態を保ちつつ保持器音の発生を防止することができると共に、保持器の射出成形用の金型製作を容易に行うことができるという効果が得られる。
【図面の簡単な説明】
【図１】本発明の実施の形態を示す正面図
【図２】図１のＢ−Ｂ断面を示す拡大断面図
【図３】本発明の実施の形態の保持器を示す斜視図
【図４】本発明の実施の形態の作用を示す説明図
【図５】実施の形態の保持器の他の態様を示す斜視図
【図６】図５のＣ矢視図
【符号の説明】
１    玉軸受
２    外輪
３    内輪
４    保持器
５    玉
６    密封板
１１  ポケット
１２  ポケット面
１３  爪部
１４  保持器柱
１５、２１  突出部
【図１】
2004156739.tif 000003
【図２】
2004156739.tif 000004
【図３】
2004156739.tif 000005
【図４】
2004156739.tif 000006
【図５】
2004156739.tif 000007
【図６】
2004156739.tif 000008